(57)【要約】      （修正有）【課題】新築・増改築・レイアウト変更の容易な移動式店舗の提供。【解決手段】Ａ床面部、Ｂ壁面部、Ｃ天井部、の三部構成とＤ展示装置付開閉扉で構成される。各部位は合体構造の独立単体で指定位置に連結手段を介して組立、ユニットシステムで店舗を形成する。搬出は連結手段を解除することで各単体に分離され運搬可能な大きさになる。展示装置付き開閉扉は、正面扉の両端を起点軸に左右に最大１８０度開いて製品の陳列を行う。映像システムの活用はＡＤＳＬの通信回線を利用操作し無線ＬＡＮ操作で正面スクリ−ンにコミュニケ−ション映像情報を映し出す。閉店後は一人でも手押し移動で店舗を格納することができる。【選択図】図２
2005290949.tif 000002
【特許請求の範囲】
【請求項１】
床面積３，３ｍ２の四方へ垂直に立てた支柱スチ−ルパイプをアルミパネルで囲みパネル上端部へ横枠を渡し、ＦＲＰ部材で成型した円形天井ユニットを載せ連結手段ジョイントブラケットを介して固定、店舗として組立る。店頭支援機器・展示装置等を扉と連結して設ける．地面積３，３ｍ２の小スペ−ス空間に作った次世代型新店舗であることを特徴とする移動式開閉店舗及び展示装置。
【請求項２】
室内と中央の左右開閉自在な扉に展示装置を連結搭載、店舗として必要な営業活動・発表・展示・案内・宣伝・小売・情報・に於いて、その業務機能を最大限に発揮できる展示装置を装備したことを特徴とする、特許請求の範囲第１項記載の移動式開閉店舗及び展示装置。
【請求項３】
中央扉の展示装置より連結された映像システムを通じて室内へ画像投影、対話形式で遠隔地とのコミュニケ−ションが出来る事を特徴とする、特許請求の範囲第１項記載の移動式開閉店舗及び展示装置。
【請求項４】
上記、移動式開閉店舗を床面積３，３ｍ２×ｎ店舗数の複数体、組み合わせを可能にして用いた、特許請求の範囲第１項記載の移動式開閉店舗及び展示装置。
【請求項５】
上記、床面下部に低床型高荷重キャスタ−を取付け業務終了後に店舗を、一人で容易に手押し移動、格納できる事を特徴とする特許請求の範囲第１項記載の移動式開閉店舗及び展示装置。
【請求項６】
上記、移動式開閉店舗は、店舗として必要な展示装置をコンパクトに具備一体化して設け照明器具・什器・レジスタ−・コンピュ−タ−映像システム・店頭支援機器等を装備、電気回線を施し、盗難防止器等の設置を可能とした多目的な業種に対応できる事を特徴とする特許請求の範囲第１項、第２項、第３項、第４項、第５項、記載の移動式開閉店舗及び展示装置。
【発明の詳細な説明】
【技術分野】
【０００１】  本発明は、商業分野での移動式開閉店舗及び展示装置に関するものである。
【背景技術】
【０００２】  従来の店舗技術では新築・増改築・レイアウトの建築変更を行う場合、高度な建築専門技術、作業工数、部材等に、予め準備された多数の専門技術者や高度な知識が必要であった。建築設計図に基づいた床面、壁、天井、電気施設等は、耐久資材で構築した堅固で半永久的とも言える建造物をつくり、安定したものであることの要請は十分に充たしている【０００３】  しかし専門家の技術者に依らなければ、組立ることも出来ず、容易に変更・改良・増設移転・移動の要請には応えることが出来ていない。【０００４】  更に賃貸店舗契約の場合、返却、撤退時には原状復帰に伴う解体時間・作業工数、及び撤去費用が多大にかかり、新規出店、退店と共に多数の人工数と莫大な資金がかかる、従って従来の技術では経済的、労働的、物理的にも非常にコスト高なのである。
【特許文献１】    特開平０５−２３４３４７号  公報
【非特許文献１】  「Ｎｉｔｔａｋｕ  Ｏｎ  Ｗｅｂ  ミニハウス・カタログ  ２００４」日拓産業株式会社・「アルミ工事ミニハウス２００３」辻元工業株式会社・「パネルハウス−レンタル」有限会社ア−ルシステム・「ミニド−ムカタログ  ２００４」エレクタ−株式会社
【発明の開示】
床面積３，３ｍ２の小スペ−スに搭載される円形の移動式開閉店舗及び展示装置である。弧四方形のコ−ナ支柱を基軸に側面アルミパネル、開閉扉で組み合わせた上端部へ横枠を渡す。ＦＲＰ部材で成型した天井、円形ユニットを支柱へ載せ固定ジョイントブラケットを装着して組み立てる。特開平０５−２３４３４７号の床形状を新形状へ変更改良した。店頭情報支援機器や展示装置を用いた商業空間として空地・平地・新地・空店舗等への場所移動が容易に対応できる事を特徴とするものである。
【発明が解決しようとする課題】
【０００５】  以上に述べた従来の店舗を建築するには経済的、労働的、専門的にも負担が大きく個人で容易に調達できるものではない。又、土地、建物、場所が必要となり購入価格は非常に高く困難をきわまる。店舗を経営するものにとって、高額な店舗の出費は大変であり、非常に困っている状況である。結局出店希望者、或いはオ−ナ−共に低価格な場所と設備を切望してやまない。本発明は、上記問題点を解決しようとするものであり、その目的とするところは最小限、床面積３，３ｍ２のスペ−スに低コスト価格の店舗を開発することである。従って移動式開閉店舗及び展示装置を完成させ合理的な業務活動を可能にするこに依って前述の欠点を解消するものである．
【０００６】  本発明は、このような従来の構成が有していた問題を解決しようとするものであり、床面積３，３ｍ２の狭いスペ−スに活性化を計り、素人でも短時間に営業準備が可能である。利用分野は多方面に渡り、建物の屋内・屋外・郊外・路上・カルチャ−センタ−・駅・地下鉄・構内及び催し物会場等での店舗管理の取り扱いも容易いで小スペ−ス利用が一人で出来る、更に多目的な業種の多店舗展開、新製品紹介、ビジネス情報ネットワ−ク化等合理的で迅速な営業・諸活動の業務を広範囲に行う事が可能である。
【課題を解決するための手段】
【０００７】  本発明の上記目的を達成するために、３，３ｍ２のスペ−ス空間に店舗を構築するのが基本概念である。移動式開閉店舗及び展示装置を製作する為に、設計構想の段階でその手段を満たすために工場生産にノックダウン方式を導入、建築資材を低価格で押さえた段階で製作を遂行する。
【０００８】  本発明の輸送手段は遠隔地での現地組立を主体にお行なう為に、パッケ−ジスタイルの完成品の分割梱包輸送を実施し、段階的に製作、物流コストを平準化する。
展示装置付き開閉扉と床面部、壁面部、天井部の三部構成で構成され、それぞれの部位は合体構造の独立単体であり指定位置の連結手段を介して、店舗を形成する。
【０００９】  上記第１の課題解決手段による作用は次の通りである。連結手段、即ちセットアップはジョイントブラケットの考案設計により、側面アルミパネルと天井部の円形構成ユニットが容易に合体接合することができる様にしてある、しかるに搬出の時は連結手段を解除することで各単体に分離され運搬可能な大きさになる
【００１０】  また、第２の課題解決手段による作用は、展示装置付き開閉扉の作用で両端のスチ−ルパイプを起点軸に扉が中央から左右に開閉作用し、表側に最大１８０度開いて展示製品の陳列を行い店舗の機能を果たす。尚映像情報のデ−タの転送はＡＤＳＬの通信回線を通じて無線送信操作を行い室内の正面スクリ−ンにコミュニケ−ション情報を映し出す。扉展示装置の使用は必要に応じて業種別の選別対応により照明什器色彩等の仕様内容を変更選択する事ができる。
【発明の効果】
【００１１】上述した様に本発明の移動式開閉店舗及び展示装置は、従来の新規出店時に数千万円〜数億円の多大な建設費が必要であった。依って人、物、金の費用コストを極限迄に制御し、利用者の便宜・要望・機能を整えて、来店顧客に満足を与えるものである。店舗を移動する際には床面下部に取り付けた低床型高荷重キャスタ−に依り一人でも可動を出来る要る様に作動させる。設営場所を選ばず、建物の屋内外、郊外、路上など小スペ−スの所でも搬入仮設及び設置を可能とする。路上、郊外現場に於いては、該建築物に対し独立した形で据え付けを行う。店舗の開閉扉と展示装置の周辺には、照明・什器・レジスタ−・展示装置・店頭支援機器等を設けＡＤＳＬ・ブロ−ドバンドライフを整えた次世代型店舗として世界市場へ利用提供をできる。
本発明、移動式開閉店舗及び展示装置には次のような利点がある
１．３，３ｍ２の面積に建立された超小型店舗ミニ・プラザ−である。
２．店舗を一人で容易に動かし移動、格納が出来る移動式店舗である。
３．展示装置付き開閉扉でその扉に商品の陳列が多段式に出来る。
４．従来の建築物に比して、低コスト価格の店舗である。
５．店舗として必要な展示装置をオプションとして壁面内外に設営できる。
６．コンピュ−タ−映像システムの機能を開閉扉と壁面に装備している。
７．短納期型、短時間で組立分解可能なユニット型簡易建造物である。
８．コンパクト梱包設計の輸送により現地組立や分解を短時間で可能とした。
９．一人で・発表・展示・案内・宣伝・小売・の業務管理が多目的に出来る。
１０．華麗なデザインと優れた品質のハイテク機能を装備した次世代型新店舗。
【００１２】  また、本発明は、床面積３，３ｍ２の室内空間に、より合理的で機能的な小型化を追求して止まない。多機能に構成、仕切パネル、天井ユニット床面部、壁面部の各部材をノックダウン方式で現地組立てが出来き、３，３ｍ２の狭いスペ−スの片隅でも簡単に設置ができる。従来の店舗イメ−ジを一新して顕著で個性的な空間造りに提供できる。しかも本発明構造物の仕上部材等は従来の建築素材を越えた客様サイトの選択も可能にしている。・開閉操作に多機能店舗として諸業務に必要な什器店頭支援機器等の展示装置を移動式開閉扉と連結合体して設けてあり、メンテナスも容易にできるハイテク装備の機能が付加されている・インタ−ネット映像システムは街の情報収集に最大限の傾聴力を計り店舗運営に於て威力を発揮する移動式開閉店舗及び展示装置の発明は一人で設営移動店舗経営が出来得ることを最大の特色にしている。次世代型店舗として大いに効果を発揮されるものである。
【発明の実施するための最良の形態】
【００１３】以下、本発明の実施形態を詳しく説明する。この移動式開閉店舗及び展示装置の構造物はＡ床面部、Ｂ壁面部、Ｃ天井部、の三部構成とＤ展示装置付き開閉扉で形成されている。
【００１４】Ａ床面部、床面積３，３ｍ２四方上に直径５ｃｍ支柱スチ−ルパイプを垂直に立て枠組みと仕切パネルで室内を構成する。
【００１５】Ｂ壁面部、縦枠（５）略２，０ｍ、横枠（６）略１，８ｍ枠材でつくる長方立方体は、側面間仕切パネル（２３）に具備された連結手段チンネルサポ−ト（２２）チャンネルストッパ−（３８）ジョイントブラケット３７パラペットャ（２１）を介して組み立てられており上部横枠、長方体形状へＢ壁面部で天井部材を支える。
【００１６】Ｃ天井部を搭載、床面積３，３ｍ２の室内空間を形成する。
【００１７】Ｄ部分は展示装置付き開閉扉の利用状態を現した透視図である。
店名ＭＩＮＩ・ＰＬＡＺＡ（２０）店舗の移動式扉を開閉することにより壁面や扉に取付けられた展示装置で画像再現し生活者へプレゼンテ−ションを行う。
【００１８】移動キャスタ−は、車両重量荷重を３，５キログラム×４台を搭載しており大人２５人は十分に荷重に耐えられる。尚、安全を配備して  営業中は固定ロックをしてある。
【００１９】情報装置什器は店舗内のコンピュ−ュ−タ−映像システム（８）を操作することにより生活者へ地域の新しい映像情報やミュニケ−ションを豊かに提供するものである。
【００２０】オプションには、４２インチのハイビジョン映像システムと遠隔地での衛星放送受信体制を装備できる。営業上必要不可欠製品は常時、開発を促進し消費者ニ−ズに対応していく。
【図面の簡単な説明】
【図１】本発明を以下図示実施例に基づき詳しく説明する。この移動式開閉店舗及び展示装置の構造物は、Ａ床面部、Ｂ壁面部、Ｃ天井部、の三部構成とＤ展示装置付き開閉扉で形成されている。第１図は本発明に係る移動式開閉店舗及び展示装置、構造物の傾斜透視図の概要図である、図においてＡ床面部、床面積３．３ｍ２四方上に直径５ｃｍ支柱スチ−ルパイプ（７）を垂直に立て枠組みと仕切パネルで室内を構成する。Ｂ壁面部、縦枠（５）略２，０ｍ、横枠（６）略１，８ｍ枠材でつくる長方立方体は、側面間仕切パネル（２３）に具備された連結手段チャンネルサポ−ト（２２）チャンネルストッパ−（３８）ジョイントブラケット３７パラペット（２１）を介して組み立てられており上部横枠、長方体形状へＣ天井部を搭載、室内空間を形成する。
【図２】第２図は、Ｄ展示装置付き開閉扉の利用状態を現した透視図である。店名ＭＩＮＩ・ＰＬＡＺＡ（２０）店舗の移動式扉を開閉することにより壁面や扉に取付けられた展示装置で生活者へプレゼンテ−ションを行い内容を豊富にする。店舗内のコンピュ−ュ−タ−映像システム（８）を操作することによる、生活者への全く新しい映像コミュニケ−ションを実現可能にするものである。
【図３】第３図は移動式開閉店舗及び展示装置の立面図正面（１）である。
【図４】第４図は側面左図（２）
【図５】第５図は側面右図（３）
【図６】第６図は背後から見た背面図（４）である。上記図に於いて側壁面部材（１３）と正面奥壁面部材（１４）が示されているが、内装部材入れ替えの互換性をもっている。デザインに備えて展示装置（２６）、色彩等任意の選択も壁面に可能である。床面積３，３ｍ２の室内に形成される上記側壁面部材（１３）へＣ天井部を合体、店舗として形成する。
【図７】第７図は天井伏図、Ｃ天井部にはアルミ球（１７）、内部に照明器具ベ−ス（１９）、シ−リングライト（１８）を取付け補強アングル（１５）を組み構造的に重量を安定させる、天井部材ＦＲＰ（１６）でド−ムタイプの屋根を成型、横枠上に組み壁面部、側面間仕切りパネル（２３）を指定位置へ組立る。
【図８】第８図は第１図に於ける平面図Ａ床面部にはアルミパネル（１２）装飾ミラ−（１１）スリット（１０）コンセント（３９）ステップ（２７）アジャスタ−（２８）床面部材として床面ビニタイル（２４）を貼る。正面入口の左右、支柱スチ−ルパイプ（７）を起点軸に開閉扉が作動し常設展示の陳列機能として発揮する。本発明は、構造物として組立られているが、組立には横枠（６）縦枠（５）の枠材でＡ床面部に固定し中央部に接客カウンタ−（２９）椅子（２５）映像システム（８）スクリ−ン（３０）をもうけてこれを構成する。
【図９】第９図は移動式開閉店舗及び展示装置の詳細説明を述べた透視傾斜図。移動装置はＡ床面部の３，３ｍ２四方上に直径５ｃｍ支柱スチ−ルパイプ（７）を立てその下部へ低床型高荷重、移動キャスタ−（３１）を接続固定する。通常は施錠（３６）をかけ固定管理する、営業中はロック固定し、店舗移動においては逆に施錠を解除するものとする。
【図１０】第１０図は移動キャスタ−図面。
【図１１】第１１図は開閉扉の展示装置図面で、移動式開閉扉（９）の支柱スチ−ルパイプをアッパ−ブラケット（３２）で固定して展示装置（２６）を装着する施錠に連動して盗難警報装置（４０）を取付ける。
【図１２】第１２図は、ＦＲＰ部材（１）ジョイントブラケット（３７）連結サポ−ト図面として述べる。展示装置の具体的な使用場所として、室内と内壁面、開閉扉、外側壁面の空間にその目的に添った展示装置を設営し店舗としての業務サ−ビスを提供する。什器、展示装置は職種、用途に応じて選択が出来る、内容的には、店舗として必要な展示装置（２６）照明シ−リングライト（１８）・什器（３３）・レジスタ−（３４）・コンピュ−タ−映像システム（８）・店頭支援機器（３５）等と共に出店希望者、オ−ナ−の要望を充分に活かした店舗設計つくりを支援するものである。
【符号の説明】
ジョイントブラケット  ・・→  異なる部材を連結する結合金具
３，３ｍ２×ｎ店舗数  ・・→  ｎは販売係数です。
ノックダウン方式      ・・→  工場より組立完成品を直接現場へ出荷する。
パッケ−ジスタイル    ・・→  完成品の形状を維持した梱包スタイル。
【図１】
2005290949.tif 000003
【図２】
2005290949.tif 000004
【図３】
2005290949.tif 000005
【図４】
2005290949.tif 000006
【図５】
2005290949.tif 000007
【図６】
2005290949.tif 000008
【図７】
2005290949.tif 000009
【図８】
2005290949.tif 000010
【図９】
2005290949.tif 000011
【図１０】
2005290949.tif 000012
【図１１】
2005290949.tif 000013
【図１２】
2005290949.tif 000014